(57)【要約】      （修正有）【課題】  電気機器筐体において、トップケースに設けた受部としての切起し片で背面パネルを位置決めする場合に、切起し片の形成箇所に存在する隙間から筐体内部に水が浸入することを防ぐ。【解決手段】  板金製のトップケース１と背面パネルとを有する。トップケース１に設けられる受部Ｒとしての切起し片５を、トップケース１の側板部１５に形成することによって天板部１２から切起し片５を抹消する。受部Ｒとしての切起し片５は、ねじ締め作業時に相手方部位としての背面パネルの当り縁を受け止める作用を発揮する。好ましくは、側板部１５に対する切起し片５の上端部の曲り角度を水切り可能な値に定める。トップケース１の縁枠部と背面パネルとの重なり箇所をビス止めする。【選択図】        図１
2008071956.tif 000002
【特許請求の範囲】
【請求項１】
板金製のトップケースとこのトップケースの後端に配備された背面パネルとを有して箱形に形成されている筐体本体の上記トップケースの天板部に、上記背面パネルに対する受部としての切起し片が形成されている電気機器筐体において、
上記切起し片の形成箇所を、トップケースの天板部からその側板部に変更することによって天板部から切起し片を抹消してあり、トップケースの側板部に形成された切起し片は、切起し工程で形成される切り目が、上記受部の相手方部位としての上記背面パネルの当り縁に沿う方向に延び、かつ、その上端部と下端部とが上記側板部に連続していて、上記側板部に対する切起し片の上端部の曲り角度が、側板部の外面を伝い落ちてきた水が切起し片側に伝い落ちることを阻止し得る水切り可能な値に定められ、
上記トップケースの後端に曲成された縁枠部が背面パネルに重ね合わされてその重なり箇所が背面パネルの後方からねじ込まれた取付けビスによってビス止めされていると共に、切起し片でなる上記受部が、そのビス止め操作初期に背面パネルに加えられる前向きの押込み力をその背面パネルに接触して受け止めるようになっていることを特徴とする電気機器筐体。
【請求項２】
板金製のトップケースとこのトップケースの後端に配備された背面パネルとを有して箱形に形成されている筐体本体の上記トップケースに、上記背面パネルに対する受部としての切起し片が形成されている電気機器筐体において、
上記切起し片の形成箇所を上記トップケースの側板部に選定したことを特徴とする電気機器筐体。
【請求項３】
上記切起し片の上端部と下端部とが上記側板部に連続していて、上記側板部に対する切起し片の上端部の曲り角度が、側板部の外面を伝い落ちてきた水が切起し片側に伝い落ちることを阻止し得る水切り可能な値に定められている請求項２に記載した電気機器筐体。
【請求項４】
上記トップケースの後端に曲成された縁枠部が背面パネルに重ね合わされてその重なり箇所が背面パネルの後方からねじ込まれた取付けビスによってビス止めされていると共に、上記受部が、そのビス止め操作初期に背面パネルに加えられる前向きの押込み力を、その背面パネルに接触して受け止めるようになっている請求項２又は請求項３に記載した電気機器筐体。
【請求項５】
上記受部が、トップケースの側板部に形成された上記切起し片と、そのトップケースの天板部に形成されてその内側に突出された切り目を有しない絞り部とを含み、それらの切起し片と絞り部とが、上記ビス止め操作初期に背面パネルに加えられる前向きの押込み力を、その背面パネルに接触して受け止めるようになっている請求項４に記載した電気機器筐体。
【発明の詳細な説明】
【技術分野】
【０００１】
本発明は、電気機器筐体、特に、筐体内部に水が浸入してその筐体に内蔵されている配線基板や端子といった電気部品を濡らすことを防ぐための対策を講じた電気機器筐体に関する。
【背景技術】
【０００２】
トップケースとリアパネルとフロントパネルとをビス止めすることによって構成された筐体構造が公知である（たとえば、特許文献１参照）。また、電子機器の筐体構造として、修理点検の便を図るための研究も行われている（たとえば、特許文献２参照）。さらに、電子機器用筐体に関してねじの使用数を減らすため研究（たとえば、特許文献３参照）や、電子機器のキャビネット構造に関して保管輸送費の低減などを図る研究（たとえば、特許文献４参照）も行われている。さらに、空気調和機の室外機ユニットにおいては、パネルのネジ止め箇所に隣接してそのパネルの切断を可能にするためのスリットを形成しておくことによって、リサイクル時にねじを外すことなくパネルを分解することができるようにした技術が提案されている（たとえば、特許文献５参照）。
【０００３】
上掲の各特許文献のうち、特許文献１には、トップケースの後側端部に下向き小突部を形成しておき、その下向き小突部をリアパネルの上側折曲片の係入孔に係合させるという構成を採用すると、ビス止め箇所の数を減らすことができるとされている。
【０００４】
一方、ＤＶＤドライブなどを内蔵する横長偏平箱形の従来の電気機器筐体（従来例）にあっては、板金製のトップケースとこのトップケースの後端に配備された背面パネルとをビス止めしたものが知られている。
【０００５】
図７はこの種の従来例による電気機器筐体の外観を示した概略斜視図、図８はその筐体のトップケースの要部の拡大斜視図、図９はその筐体のトップケースと背面パネルとのビス止め箇所を説明的に示した図７のＩＸ−ＩＸ線に沿う部分の概略拡大断面図である。
【０００６】
図７の筐体は、ボトムケース（図に現れていない）と、そのボトムケースの後端に固着された背面パネル（図に現れていない）と、トップケース１と、フロントパネル２とを備えていて、フロントパネル２には、ＤＶＤドライブの使用対象であるディスクの出入口３や磁気記録再生装置の使用対象である磁気テープカセットの出入口４などが備わっている。
【０００７】
この種の筐体にあっては、トップケース１を板金製として、同じく板金製の背面パネルをその後方からねじ込まれる取付けビスによってトップケース１にビス止めするという構造を採用する場合、取付けビスをねじ込むときの組立作業性を改善したり組立後の筐体強度を高めたりする対策の講じられることがある。このような観点から、図７に示した筐体では、トップケース１の天板部１２の横方向一列に並んだ複数箇所（図例では３箇所）に内向きの切起し片５を形成する加工を行っておき、その加工によって天板部１２に具備された複数箇所の切起し片５を上記した組立作業性を改善や組立後の筐体強度の向上に役立たせるようにしてある。
【０００８】
すなわち、図８に例示した上記切起し片５では、横方向の両端部がトップケース１の天板部１２から破断されずに連設された状態で内向きに折り曲げられ、かつ、切起し工程で切起し片５の前後両側に切り目を形成させることによってその切起し片５を天板部１２の内側へ膨らみ出させてある。
【０００９】
そして、この切起し片５が形成されているトップケース１を背面パネルにビス止めする組立工程では、図９のように、天板部１２の後端の全幅部分に曲成されたリブ状の縁枠部１３と切起し片５の後側端面５１との相互間隙間に、同図に示した背面パネル６の上端に曲成されているリブ６１を嵌め込んでそのリブ６１を前後に動かないように位置決めしておき、その状態で、トップケース１の縁枠部１３のビス挿通孔１４に挿通させた取付けビス７を背面パネル６のねじ孔６３にねじ込んで締め付けるというねじ締め作業が行われている。この組立工程では、取付けビス７によるビス止め操作初期（ねじ込み初期）にリブ６１が切起し片５の前側端面５１に突き当たるために、背面パネル６に加えられる前向きの押込み力が切起し片５によって受け止められる。その結果、ビス止め操作初期に取付けビス７の先端によって押された背面パネル６が撓んで前方へ逃げるといった現象が回避されて、取付けビス７によるビス止め作業を熟練を要することなく迅速かつ確実に行うことができるようになる。また、フロントパネル１と背面パネル６とをビス止め操作を経て取り付けた後では、背面パネル６のリブ６１が、フロントパネル１側の横方向一列に並んだ上記切起し片５とフロントパネル１の縁枠部１３とによって挟まれているので、背面パネル６の前後方向での撓み変形が防止されて組立後の筐体強度の向上に役立つ。以上より、上記した切起し片５は、組立作業中及び組立後において、背面パネル６を受け止める受部としての機能を果している。そのため、図７〜図９では、切起し片５に受部を表す符号としてのＲを併記してある。
【００１０】
【特許文献１】特開２００５−６４０８４号公報
【特許文献２】特開平５−３４３８８０号公報
【特許文献３】特開２００１−２９８２７６号公報
【特許文献４】特開平８−８５４７号公報
【特許文献５】特開２０００−２６９６６１号公報
【発明の開示】
【発明が解決しようとする課題】
【００１１】
図７〜図９を参照して説明した従来例による構造を採用すると、トップケース１の受部Ｒとしての切起し片５１の形成箇所には、切起し工程で形成される切り目が開くことによって形成される隙間Ｓ（図９参照）がそのまま放置され、しかも、その隙間Ｓがトップケース１の天板部１２に位置していることになる。そのため、この筐体を採用した電気機器を水平に定置してある場合に、湯飲みや花瓶の水などがトップケース１の上にこぼれ落ちると、その水が切起し片５の形成箇所から隙間Ｓを通過して筐体の内部に入るという事態が起こり得る。そして、そのような事態が起こると、筐体に収容されている配線基板や端子類、その他の電気電子部品が水に濡れて性能上問題を生じたり、場合によっては電気的なショートが発生したりするおそれがある。
【００１２】
これらの問題やおそれを無くするためには、受部Ｒを切起し片５１によって形成する代わりに、上記した切り目が開くことによって形成される隙間Ｓの存在しない絞り部、すなわち切り目を有しない絞り部によってその受部Ｒを形成しておくことが考えられ、そのようにすると、筐体内部への水の浸入を確実に防止することができる。しかし、その一方で、切り目を有しない絞り部を板金に加工するとどうしてもその絞り部が台形状に形作られるために、絞り部の形成箇所のスペースが切起しによる場合に比べて広くなることを避けられなくなる。また、そのような台形に形作られた絞り部を採用すると、図９に示したリブ６１の端面が絞り部の傾斜面に滑りやすい状態で突き当たることになるので、リブ６１ないし背面パネル６の位置決め作用が低下して、ビス止め操作初期に取付けビス７の先端によって押された背面パネル６が撓んで前方へ逃げるといった現象が起こりやすくなって組立作業性が低下するだけでなく、取付け後においても、リブ６１の端面が絞り部の傾斜面に滑りやすい状態で突き当たっているだけであるので、背面パネル６の前後方向での撓み変形を防ぐ作用が低下して筐体強度の向上を図りにくくなることになる。
【００１３】
これら点に関し、上掲の特許文献１に見られるトップケースの下向き小突部を、上記した受部として利用することが考えられるけれども、その下向き小突部が切起し片で形成されているか絞り部で形成されているかが不明であり、仮に切起し片で形成されているとすると、上記したような筐体内部への水の浸入に伴う問題が生じ、仮に絞り部で形成されているとすると、上記したような組立作業性や組立後の筐体強度が低下するおそれがある、ということになる。
【００１４】
本発明は以上の状況の下でなされたものであり、受部の形成箇所に工夫を講じることによって、その受部として切起し片を採用したとしても、筐体内部への水の浸入に伴う問題が生じにくくなり、また、組立作業性や組立後の筐体強度が低下するおそれを少なくすることのできる電気機器筐体を提供することを目的とする。
【課題を解決するための手段】
【００１５】
本発明に係る電気機器筐体は、板金製のトップケースとこのトップケースの後端に配備された背面パネルとを有して箱形に形成されている筐体本体の上記トップケースに、上記背面パネルに対する受部としての切起し片が形成されている。そして、上記切起し片の形成箇所が上記トップケースの側板部に選定されている。
【００１６】
この構成であると、受部としての切起し片をトップケースの天板部に設けておく必要がなくなる。そのため、天板部から切起し片を抹消することが可能になり、そのために、天板部に水がこぼれ落ちても、その水が天板部の切起し片の形成箇所に存在する隙間から筐体内部に浸入するという事態を生じる余地がなくなる。また、切起し片の形成箇所がトップケースの側板部に選定されていることにより、たとえ水がトップケースの上にこぼれ落ちて、その水が側板部を伝い落ちたとしても、切起し片の形成箇所の隙間から筐体内部に浸入するという事態は、切起し片が天板部に形成されている場合に比べて極端に起こりにくくなる。
【００１７】
本発明では、上記切起し片の上端部と下端部とが上記側板部に連続していて、上記側板部に対する切起し片の上端部の曲り角度が、側板部の外面を伝い落ちてきた水が切起し片側に伝い落ちることを阻止し得る水切り可能な値に定められていることが望ましい。この構成を採用すると、切起し片が側板部に上端部と下端部とで両持ちされた構成になるので、その切起し片が、その端面に加わる荷重に対して大きな耐荷重性を発揮するようになる。そのため、一定の耐荷重性が要求される受部としての機能がそれだけ高められる。しかも、トップケースの側板部に対する切起し片の上端部の曲り角度が、側板部の外面を伝い落ちてきた水が切起し片側に伝い落ちることを阻止し得る水切り可能な値に定められているという構成を採用したことにより、伝い落ちてきた水が切起し片の形成箇所に生じている隙間を経て筐体内部に浸入するという事態が確実に阻止されるという利点がある。なお、上記した水切り可能な値は、垂直な側板部に対して９０度よりも小さくない値である。
【００１８】
本発明では、上記トップケースの後端に曲成された縁枠部が背面パネルに重ね合わされてその重なり箇所が背面パネルの後方からねじ込まれた取付けビスによってビス止めされていると共に、上記受部が、そのビス止め操作初期に背面パネルに加えられる前向きの押込み力を、その背面パネルに接触して受け止めるようになっているという構成を採用することが可能であって、この構成を採用すると、冒頭で説明した取付けビスのねじ込み作業を伴う組立作業性や組立後の筐体強度の向上が図られる。
【００１９】
本発明では、上記受部が、トップケースの側板部に形成された上記切起し片と、そのトップケースの天板部に形成されてその内側に突出された切り目を有しない絞り部とを含み、それらの切起し片と絞り部とが、上記ビス止め操作初期に背面パネルに加えられる前向きの押込み力を、その背面パネルに接触して受け止めるようになっている、という構成を採用することも可能である。この構成によると、トップケースの側板部に形成されている受部としての切起し片のほか、トップケースの天板部に形成されている受部としての絞り部によっても、上記した組立作業性や組立後の筐体強度の向上が図られる。
【００２０】
本発明に係る電気機器筐体は、板金製のトップケースとこのトップケースの後端に配備された背面パネルとを有して箱形に形成されている筐体本体の上記トップケースの天板部に、上記背面パネルに対する受部としての切起し片が形成されている電気機器筐体において、上記切起し片の形成箇所を、トップケースの天板部からその側板部に変更することによって天板部から切起し片を抹消してあり、トップケースの側板部に形成された切起し片は、切起し工程で形成される切り目が、上記受部の相手方部位としての上記背面パネルの当り縁に沿う方向に延び、かつ、その上端部と下端部とが上記側板部に連続していて、上記側板部に対する切起し片の上端部の曲り角度が、側板部の外面を伝い落ちてきた水が切起し片側に伝い落ちることを阻止し得る水切り可能な値に定められ、上記トップケースの後端に曲成された縁枠部が背面パネルに重ね合わされてその重なり箇所が背面パネルの後方からねじ込まれた取付けビスによってビス止めされていると共に、切起し片でなる上記受部が、そのビス止め操作初期に背面パネルに加えられる前向きの押込み力をその背面パネルに接触して受け止めるようになっている、という構成を採用すことによっていっそう具体化される。この発明の作用などについては、後述する実施形態を参照して詳細に説明する。
【発明の効果】
【００２１】
以上のように、本発明に係る電気機器筐体は、従来例の受部の形成箇所を変更するだけの簡単な対策を講じるだけで、受部として高い位置決め精度を発揮しかつ形成スペースが狭くて済む切起し片を採用したとしても、筐体内部への水の浸入に伴う問題が生じにくくなるだけでなく、組立作業性や組立後の筐体強度が低下するおそれが少なくなるという効果を奏し得る。したがって、仮に使用中にユーザが湯飲みや花瓶などの水を筐体の上に不慮にこぼしたとしても、その水が筐体内部に浸入して配線基板や端子類、電気電子機器などに悪影響を与えたり電気的にショートを生起したりするといった危険性が解消されて電気機器の安全性が向上する。
【発明を実施するための最良の形態】
【００２２】
図１は本発明の実施形態に係る電気機器筐体のトップケース１の要部を示した概略斜視図、図２は図１の部分拡大図、図３は図２のＩＩＩ−ＩＩＩ線に沿う部分の拡大断面図である。また、図４はトップケース１と背面パネル６とのビス止め箇所を図２のＩＶ−ＩＶ線に沿う方向から見て示した横断平面図である。
【００２３】
この実施形態に係る電気機器筐体は、その基本構成が図７を参照して説明した従来例と同様であって、ボトムケースと、そのボトムケースの後端に固着された背面パネルと、板金製のトップケース１と、フロントパネルとを備える横長偏平な箱形に形成された筐体本体を備えていて、フロントパネルにはディスクの出入口や磁気記録再生装置の使用対象である磁気テープカセットの出入口などが備わっている。
【００２４】
そして、この実施形態の筐体では、従来例と同様にトップケース１に切起し片５が形成されていて、その切起し片５が背面パネルに対する受部Ｒとして機能するようになっているけれども、その受部Ｒとしての切起し片５の形成箇所が従来例とは相違している。すなわち、従来例では、受部Ｒとしての切起し片５がトップケース１の天板部１２に形成されていたのに対し、この実施形態ではその切起し片５の形成箇所を変更してトップケース１の側板部１５に選定してあり、天板部１２からは切起し片５を抹消してある。
【００２５】
図３又は図４に示したように、トップケース１の側板部１５に形成されている上記切起し片５は、切起し工程で形成される切り目が上下方向（筐体の高さ方向）に延び、その上端部と下端部とが側板部１５に連設されて連続している。したがって、切起し工程で形成される上記切り目が開くことによって形成されている隙間Ｓが、切起し片５の前後で前向き又は後向きに開口している。これに対し、切起し片５自体によって形成されている受部Ｒの相手方部位としての背面パネル６の幅方向端部に曲成されている上下方向（筐体の高さ方向）に長いリブ６５が、トップケース１の天板部１２の後端の全幅部分に曲成されたリブ状の縁枠部１３と切起し片５の後側端面５１との相互間隙間に嵌め込まれて前後に動かないように位置決めされていると共に、トップケース１の上記縁枠部１３のビス挿通孔１４に挿通させた取付けビス７が、背面パネル６のねじ孔６３にねじ込まれて締め付けられている。したがって、トップケース１の縁枠部１３と背面パネル６との重なり箇所が取付けビス７によってビス止めされている。
【００２６】
上記した取付けビス７のねじ締め作業を伴う組立工程では、取付けビス７によるビス止め操作初期（ねじ込み初期）にリブ６５の端面である当り縁６６が切起し片５の後側端面５１に突き当たるために、背面パネル６に加えられる前向きの押込み力が切起し片５によって受け止められる。その結果、ビス止め操作初期に取付けビス７の先端によって押された背面パネル６が撓んで前方へ逃げるといった現象が回避されて、取付けビス７によるビス止め作業を熟練を要することなく迅速かつ確実に行うことができる。また、フロントパネル１と背面パネル６とをビス止め操作を経て取り付けた後では、背面パネル６のリブ６５が、切起し片５とフロントパネル１の縁枠部１３とによって挟まれているので、背面パネル６の前後方向での撓み変形が防止されて組立後の筐体強度の向上の低下が抑制される。以上より、上記した切起し片５は、組立作業中及び組立後において、背面パネル６を受け止める受部としての機能を果している。
【００２７】
図１〜図４を参照して説明した構造を有する電気機器筐体によると、トップケース１の天板部１２から切起し片５が抹消されているので、その天板部１２には切起し片５を加工することによって発生する隙間が存在しなくなる。そのため、トップケース１の上に水がこぼれ落ちたとしても、その水が天板部１２の隙間から筐体内部に浸入するという事態は起こり得ない。
【００２８】
一方、トップケース１の上に水がこぼれ落ちた場合、その水がトップケース１の側板部１５を伝い落ちるということはあり得る。しかし、側板部１５に形成されている切起し片５の形成箇所では、隙間Ｓが切起し片５の前後両側で前向き又は横向きに開口しているに過ぎないので、側板部１５を伝い落ちた水がその隙間Ｓを通って筐体内部に浸入するという事態は起こりにくい。また、仮に隙間Ｓを通って筐体内部に水が浸入したとしても、その水は側板部１５の内面を伝い落ちるだけであるので、受部Ｒとしての切起し片５の形成箇所の隙間Ｓから筐体内部に浸入した水で配線基板や端子類、電気電子部品などの濡れて損傷したり電気的なショートを発生したりするという事態の起こるおそれがほとんどなくなる。また、切起し片５が側板部１５にその上端部と下端部とで両持ちされた構成になっているので、切起し片５が、その端面に加わる荷重に対して大きな耐荷重性を発揮する結果、ビス止め作業時に背面パネル６のリブ６５がその切起し片５に強く押し付けられても、その切起し片５が曲がって位置決め作用を損なうという事態を生じない。
【００２９】
本発明の他の実施形態では切起し片５の形状が図３のものとは相違している。すなわち、図５に示した他の実施形態に係る切起し片５は、その上端部と下端部とがトップケース１（図１参照）の上記側板部１５に連続していて、その側板部１５に対する切起し片５の上端部の曲り角度θが９０度よりも小さくない角度（具体的には９０度）に定められている。この形状を切起し片５によると、側板部１５の外面を伝い落ちてきた水が切起し片５側に伝い落ちることがなくなるので、図５矢印Ｄのように水が切起し片５の形成箇所に入ることなく落下するようになり、隙間Ｓから筐体内部に水が浸入するという事態がさらに効果的に防止されるようになる。なお、この実施形態では、上記曲り角度θを９０度に定めてあるけれども、この曲り角度θは９０度より大きい角度であってもよい。言い換えると、側板部１５の外面を伝い落ちてきた水が切起し片５側に伝い落ちることを阻止し得る水切り可能な値（角度）に定められていればよい。
【００３０】
本発明のさらに他の実施形態では、切起し片５の形成箇所を変更してトップケース１の側板部１５に選定してあり、天板部１２からは切起し片５を抹消してあることに加えて、天板部１２に受部Ｒとして作用する絞り部を形成しておくことが可能である。この事例を図６に示してある。同図において、トップケース１の側板部１５に形成されている受部Ｒとしての切起し片５は図１〜図４又は図５に示した切起し片５と同様の構成及び作用を発揮する。これに対し、トップケース１の天板部１２に形成された受部Ｒとしての絞り部８は、トップケース１の内側に突出されていてそれ自体が切り目を有していない。そのため、トップケース１に絞り部８が形成されているとしても、そのトップケース１には切起し片５を形成することに伴う隙間が存在していない。
【００３１】
このものにおいて、切起し片５と絞り部８とは、図４などを参照して説明したビス止め操作初期に背面パネル（図６において不図示）に加えられる前向きの押込み力を、その背面パネルに接触して受け止めるようになっている。という構成を採用することも可能である。この構成によると、トップケース１の側板部１５に形成されている受部Ｒとしての切起し片５のほか、トップケース１の天板部１２に形成されている受部Ｒとしての絞り部８によっても、上記した組立作業性や組立後の筐体強度の向上が図られる。
【００３２】
以上説明したそれぞれの実施形態において、切起し片５はその上端部と下端部とがトップケース１の側板部１５に連設された両持ち構造になっているけれども、この点は、切起し片の上端部を残して他の辺を側板部１５から切り離したものであってもよい。
【００３３】
なお、図１〜図９では、説明を簡略にするために、同一又は相応する部分に同一符号を付してある。
【図面の簡単な説明】
【００３４】
【図１】本発明の実施形態に係る電気機器筐体のトップケースの要部を示した概略斜視図である。
【図２】図１の部分拡大図である。
【図３】図２のＩＩＩ−ＩＩＩ線に沿う部分の拡大断面図である。
【図４】トップケースと背面パネルとのビス止め箇所を図２のＩＶ−ＩＶ線に沿う方向から見て示した横断平面図である。
【図５】他の実施形態に係る切起し片を示した図３に相応する拡大断面図である。
【図６】さらに他の実施形態に係るトップケースの要部の概略斜視図である。
【図７】従来例による電気機器筐体の外観を示した概略斜視図である。
【図８】従来例に係るトップケースの要部の拡大斜視図である。
【図９】従来例に係るトップケースと背面パネルとのビス止め箇所を説明的に示した概略拡大断面図である。
【符号の説明】
【００３５】
１  トップケース
５  切起し片
６  背面パネル
７  取付けビス
１２  天板部
１３  トップケースの縁枠部
１５  側板部
６６  背面パネルの当り縁
Ｒ  受部
θ  側板部に対する切起し片の上端部の曲り角度
【図１】
2008071956.tif 000003
【図２】
2008071956.tif 000004
【図３】
2008071956.tif 000005
【図４】
2008071956.tif 000006
【図５】
2008071956.tif 000007
【図６】
2008071956.tif 000008
【図７】
2008071956.tif 000009
【図８】
2008071956.tif 000010
【図９】
2008071956.tif 000011